(57)【要約】【課題】監視制御パッケージと複数の被監視制御パッケージとを含む伝送装置と監視制御端末とを有する伝送制御システム及び監視制御方法に関し、監視制御パッケージのファームウェアを変更することなく、被監視制御パッケージの種別追加に対処可能とする。【解決手段】監視制御パッケージ３と複数の被監視制御パッケージ４とを含む伝送装置１と、監視制御端末２とを備えた伝送制御システム及び監視制御方法であって、監視制御端末２は、先頭に識別子を付加し、被監視制御パッケージ４の種別情報と位置情報とチャネル情報とを基に一意に定めたアドレスを付加した設定データ又はコマンドを作成して、監視制御パッケージ３に送出し、この監視制御パッケージ３に於いて、前記アドレスに従って内部テーブルにデータを書き込み、被監視制御パッケージ４の監視制御を行う構成及び処理過程を含むものである。【選択図】図１
2008289025.tif 000002
【特許請求の範囲】
【請求項１】
監視制御パッケージと複数の被監視制御パッケージとを実装して構成した伝送装置と、監視制御端末とを含む構成の伝送制御システムに於いて、
前記監視制御端末は、先頭に識別子を付加し、且つ前記被監視制御パッケージ種別情報と位置情報とチャネル情報とを基に一意に定めたアドレスを付加した設定データ又はコマンドを前記監視制御パッケージに送出する機能及び該監視制御パッケージからのレスポンスを受信する機能を備え、
前記監視制御パッケージは、前記監視制御端末からの前記設定データ又はコマンドに付加されているアドレスに従って内部テーブルへデータを書き込む機能及び前記コマンドに従った処理結果のレスポンスを前記監視制御端末へ送出する機能を備えた
ことを特徴とする伝送制御システム。
【請求項２】
監視制御パッケージと複数の被監視制御パッケージとを実装して構成した伝送装置に対して監視制御端末からデータ設定及び監視を行う監視制御方法に於いて、
前記監視制御端末に於いて、先頭に識別子を付加し、前記被監視制御パッケージ種別情報と位置情報とチャネル情報とを基に一意に定めたアドレスを付加した設定データ又はコマンドを前記監視制御パッケージに送出し、該監視制御パッケージに於いて、前記アドレスに従って内部テーブルにデータを書き込む過程を含む
ことを特徴とする監視制御方法。
【請求項３】
前記監視制御端末から前記監視制御パッケージに、識別子を先頭に付加し、データ数と、該データ数に対応した数のレコードとを含み、該レコードに、前記被監視制御パッケージ種別情報と位置情報とチャネル情報とを基に一意に定めたアドレスとデータとを設定したフォーマットの設定データを作成して送出する過程を含むことを特徴とする請求項２記載の監視制御方法。
【請求項４】
前記監視制御端末は、前記識別子と、前記データ数と、該データ数に対応した数の前記レコードとを含み、該レコードに、前記アドレスを監視対象の監視アドレスとし、且つ監視対象ビット付加情報マスク値とを設定して前記監視制御パッケージに送出し、該監視制御パッケージの監視付加情報テーブルを作成して、被監視制御パッケージの状態監視を行う過程を含むことを特徴とする請求項３記載の監視制御方法。
【請求項５】
前記監視制御端末は、前記識別子と、前記データ数と、該データ数に対応した数の前記レコードとを含み、該レコードは、前記アドレスを運用制御アドレスとし、且つ前記被監視制御パッケージに対する運用制御内容を示す設定データを付加した運用制御コマンドを作成して前記監視制御パッケージに送出する過程を含むことを特徴とする請求項３記載の監視制御方法。
【請求項６】
前記監視制御端末は、前記識別子と、前記データ数と、該データ数に対応した数の前記レコードとを含み、該レコードは、前記アドレスをモニタ制御アドレスとして付加したモニタ制御コマンドを作成して前記監視制御パッケージに送出する過程を含むことを特徴とする請求項３記載の監視制御方法。
【請求項７】
前記監視制御端末は、前記識別子と、前記データ数と、該データ数に対応した数の前記レコードとを含み、該レコードは、制御パラメータと、制御アドレスと、設定値と、繰り返し回数と、ウェイトとを含むモニタ制御コマンドを作成して、前記監視制御パッケージに送出する過程を含むことを特徴とする請求項３記載の監視制御方法。
【請求項８】
前記監視制御パッケージは、前記監視制御端末からの前記モニタ制御コマンドを受信して、前記レコード内容に従った処理を順次実行し、該処理の終了により、レスポンスを作成して、前記監視制御端末へ送出する過程を含むことを特徴とする請求項７記載の監視制御方法。
【発明の詳細な説明】
【技術分野】
【０００１】
本発明は、監視制御パッケージと複数の被監視制御パッケージとを実装して構成した伝送装置と、設定制御及び監視制御を行う監視制御端末とを含む伝送制御システム及び被監視制御パッケージに対する設定、監視を行う監視制御方法に関する。
【背景技術】
【０００２】
伝送装置間を伝送路により接続して各種データを伝送する伝送制御システムに於ける各伝送装置は、同一又は異なる構成のパッケージを複数実装して構成し、各パッケージは、それぞれ所定の処理機能を有するように初期設定等を行って、各種データ伝送制御を行うものであり、又運用開始後に設定情報を変更する制御を行う場合がある。又伝送装置の正常性を監視する監視制御端末を設けて、伝送装置を構成するパッケージ対応の監視制御を行うシステムも知られている。
【０００３】
又監視制御パッケージと複数の被監視パッケージとを実装して共有バスによりそれぞれを接続し、更に、被監視制御パッケージを複数のグループに分けて、監視制御パッケージから周期的にグループ毎に実装監視メッセージを送出し、それに対する応答有りの場合は実装されているグループと判定し、応答無しの場合は未実装グループと判定して、この未実装グループに対しては、それ以後の周期的な実装監視メッセージを送出しないことにより、無駄となるメッセージ転送を省略可能として、共有バスの有効利用を図る方法が提案されている（例えば、特許文献１参照）。
【０００４】
前述のように、伝送装置は、監視制御パッケージと複数の被監視制御パッケージとを含む構成が一般的であり、又監視制御端末を設け、この監視制御端末から伝送装置の監視制御パッケージに、各被監視制御パッケージに対する設定データ等を転送し、又監視制御パッケージを介して被監視制御パッケージの状態監視を行うシステムが一般的である。このような伝送装置と監視制御端末とを含む従来の伝送制御システムに於いては、例えば、被監視制御パッケージに対する初期設定データ等を監視制御端末に於いて生成し、伝送装置の監視制御パッケージに転送することになる。この初期設定動作の従来例の概要を図１４に示し、その場合の初期設定データのフォーマットと監視制御パッケージのファームウェア内部参照テーブルの一例を図１５に示す。
【０００５】
従来の初期設定処理は、図１４に示すように、監視制御端末に於いて初期設定データを作成して、その設定データを監視制御パッケージに送信する。監視制御パッケージは、監視制御端末からの設定データを受信して、被監視制御パッケージの種類対応の設定処理を行うものであり、図１５の（Ａ）は、初期設定データのフォーマット、同図の（Ｂ）は位置情報と設定アドレス（上位）との対応テーブルの一例、同図の（Ｃ）は識別子とパッケージ毎のアドレス対応テーブルの一例、同図の（Ｄ）は、識別子とその内容と、設定データとその内容との対応の一例をそれぞれ示す。監視制御端末から監視制御パッケージへ送信する初期設定データは、図１５の（Ａ）に示すように、データの種別を示す識別子と、データ数と、データ数に対応した数のレコード１，２，３，・・・ｎとを含み、このレコード１〜ｎは、それぞれ位置情報とＰＫＧＩＤ（パッケージ識別子）とＣＨ情報（チャネル情報）とレコード種別を示す識別子と設定データとを含む場合を示す。
【０００６】
又位置情報と設定アドレスとの対応テーブルは、図１５の（Ｂ）に示すように、シェルフ番号とスロット番号と設定アドレス（上位）との対応を示す内容を格納したものであり、又アドレス対応テーブルは、図１５の（Ｃ）に示すように、ＰＫＧＩＤ（パッケージ識別子）と名称と識別子と設定内容とＣＨ情報（チャネル情報）と設定アドレス（下位）との対応を格納したものである。従って、監視制御パッケージのファームウェアは、監視制御端末からの初期設定データを受信して、レコード内の位置情報、ＰＫＧＩＤ、ＣＨ情報、識別子、設定データのそれぞれについてテーブルを参照する。その場合に、被監視制御パッケージの種類対応の分岐処理を行い、次に、設定データ識別子対応の分岐処理を行い、次にアドレス対応テーブルから設定データを書き込む設定アドレスを抽出して、その設定アドレスに設定データを書き込むことになる。
【０００７】
又監視制御パッケージに於いては、被監視制御パッケージ対応の監視情報テーブルを生成するものであり、図１６は、その監視情報テーブル生成時のシーケンス説明図を示し、図１７の（Ａ）〜（Ｃ）の（Ａ）は、位置情報と設定アドレス（上位）との対応テーブルを示し、各シェルフは、スロット１〜１５からなる場合を示し、シェルフ１のスロット１〜１５対応のアドレス（上位）を、０１０１〜０１０ｆとし、シェルフ１５のスロット１〜１５対応のアドレス（上位）を、０ｆ０１〜０ｆ０ｆとした場合を示す。又（Ｂ）は監視アドレス（下位）と監視対象ビットと概要とマスク値との関係の一例を示し、（Ｃ）はパッケージ種別対応の監視アドレス（下位）と監視対象ビットのマスク値との対応テーブルを示し、それぞれに対応した警報内容の一例を示す。従って、監視制御端末に於いて設定データを生成し、その設定データを監視制御パッケージに送信し、監視制御パッケージは、その設定データを受信して、設定データ内の位置情報から、図１７の（Ａ）に示す対応テーブル（図１５の（Ｂ）に相当）を参照して、監視情報テーブルの監視アドレス（上位）を取得し、被監視制御パッケージ種類対応の分岐処理を行い、図１７の（Ｃ）に示す対応テーブルを参照して、監視アドレス（下位）と監視対象ビットのマスク値を取得し、監視対象アドレス（上位）と監視対象アドレス（下位）と監視対象ビットのマスク値とから監視情報テーブルを生成する。
【０００８】
又監視制御端末からのコマンドに従って、監視制御パッケージのファームウェアにより被監視制御パッケージを監視する場合、従来は、例えば、図１８に示すシーケンスに従って行われていた。その場合、図１７に示すテーブルと同様な図１９の（Ａ）〜（Ｃ）に示すテーブルを参照するものであり、図１９の（Ａ）〜（Ｃ）の（Ａ）は、シェルフとスロット位置情報と設定アドレス（上位）との対応テーブル（図１５の（Ｂ）及び図１７の（Ａ）に相当）、同図の（Ｂ）は監視アドレス（下位）と監視対象ビットの付加情報マスク値との関係（図１７の（Ｂ）に相当）、同図の（Ｃ）は監視アドレス（下位）と監視対象ビットの付加情報マスク値との対応テーブル（図１７の（Ｃ）に相当）のそれぞれ一例を示す。例えば、付加情報マスク値として、０系と１系との二重化構成に於ける１系方向異常及び１系パス異常に対して、０３０３とした場合を示し、この付加情報マスク値は、図１９の（Ｃ）を参照すると、個別警報を示している。この監視制御に於いては、先ず、監視制御端末に於いて生成した設定データを監視制御パッケージに送信し、監視制御パッケージは、その設定データを受信して、設定データ内の位置情報から監視情報テーブルのアドレス（上位）を取得し、被監視制御パッケージの種類対応の分岐処理を行い、アドレス（下位）と監視対象ビットのマスク値とを取得し、監視対象アドレス（上位）と監視対象アドレス（下位）と監視対象ビットのマスク値とから監視情報テーブルを生成する。
【０００９】
又運用制御コマンドを監視制御端末に於いて作成して、監視制御パッケージに送信する場合、図２０に示すシーケンス説明図に従った処理を行うものであり、図２１の（Ａ）〜（Ｄ）の（Ａ）は運用制御コマンドのフォーマット、（Ｂ）はシェルフ番号とスロット番号とからなる位置情報と設定アドレス（上位）との対応テーブル（図１５の（Ｂ），図１７の（Ａ），図１９の（Ａ）に相当）、（Ｃ）はコマンド識別子（Ａ００１，Ａ０１１等）とパッケージ毎のアドレス対応テーブル、（Ｄ）はコマンド識別子（Ａ００１，Ａ０１１等）と詳細パラメータとの対応テーブルのそれぞれ一例を示す。監視制御端末に於いてコマンドを作成し、そのコマンドを監視制御パッケージに送信する。そのコマンドは、例えば、図２１の（Ａ）に示すように、コマンド識別子と、位置情報と、ＰＫＧＩＤ（パッケージ識別子）と、ＣＨ情報（チャネル情報）と、詳細パラメータとを含むものである。このコマンドを受信処理する監視制御パッケージのファームウェアは、被監視制御パッケージ種類に対応した分岐処理を行う。そしてコマンド識別子対応の分岐処理を行い、データテーブルから設定データや運用制御アドレスを抽出し、運用制御アドレスに設定データを書き込み、この処理修了により、レスポンスを作成し、監視制御端末へ送信する。
【００１０】
又モニタ制御コマンドを監視制御端末に於いて作成して、監視制御パッケージに送信する場合、図２２に示すシーケンス説明図に従った処理を行うものであり、図２３の（Ａ）〜（Ｃ）の（Ａ）は、コマンド識別子と位置情報とＰＫＧＩＤ（パッケージ識別子）とＣＨ情報（チャネル情報）とを含むモニタ制御コマンド、（Ｂ）はシェルフ番号とスロット番号とによる位置情報と設定アドレス（上位）との対応テーブル（図１５の（Ｂ），図１７の（Ａ），図１９の（Ａ）に相当）、（Ｃ）はＰＫＧＩＤ（パッケージ識別子）と名称とコマンド識別子と運用制御内容とＣＨ情報（チャネル情報）と設定アドレス（下位）との対応を示すテーブルのそれぞれ一例を示す。
【００１１】
監視制御端末に於いてコマンドを作成して、そのコマンドを監視制御パッケージに送信し、監視制御パッケージは、そのコマンドを受信すると、被監視制御パッケージ種類対応の分岐処理を行い、次にコマンド識別子対応の分岐処理を行い、テーブルからモニタ制御アドレスを抽出し、そのモニタ制御アドレスからデータを読み出し、レスポンスを作成して、監視制御端末へ送信する。
【００１２】
又伝送装置は、保守作業時等に於いて主信号疎通試験、二重化構成部分の切替試験等を行って正常性の確認や障害発生個所の切り分けを行うものであり、図２４、図２５及び図２６は、従来例の疎通試験制御のシーケンス説明図を示す。監視制御端末は、疎通試験を行う為に、図２４に示すように、先ず、試験（出力）開始コマンドを作成して監視制御パッケージに送信する。監視制御パッケージは、そのコマンドを受信して、コマンド受信時の処理を行い、試験（出力）開始レスポンスを作成して、監視制御端末へ送信する。
【００１３】
監視制御端末は、試験（出力）開始レスポンス受信により、試験（入力）開始コマンドを作成して監視制御パッケージへ送信する。監視制御パッケージは、試験（入力）開始コマンドを受信して、コマンド受信時の処理を行い、試験（入力）開始レスポンスを作成して、監視制御端末へ送信する。監視制御端末は、この試験（入力）開始レスポンスの受信により、パターン挿入コマンドを作成して監視制御パッケージへ送信する（図２５参照）。監視制御パッケージは、受信したパターン挿入コマンドに従った制御処理を行い、パターン挿入レスポンスを作成して監視制御端末へ送信する。監視制御端末は、試験結果モニタコマンドを作成して監視制御パッケージへ送信する。監視制御パッケージは、試験結果モニタコマンドを受信して、モニタコマンドに従った処理を行い、試験結果モニタレスポンスを作成し、監視制御端末へ送信する。
【００１４】
監視制御端末は、試験結果モニタレスポンス受信に従って試験結果を表示し、正常か否かを判定すると共に、試験（入出力）終了コマンドを作成して、監視制御パッケージへ送信する（図２６参照）。監視制御パッケージは、その試験（入出力）終了コマンドに従った処理を行い、試験（入出力）終了レスポンスを作成して監視制御端末へ送信し、監視制御端末は、これを受信して、試験終了とする。
【特許文献１】特開２０００−３３２７９９号公報
【発明の開示】
【発明が解決しようとする課題】
【００１５】
監視制御パッケージと複数の被監視制御パッケージとを実装して構成した伝送装置と、その伝送装置に対する設定制御及び監視制御等を行う監視制御端末とを備えた伝送制御システムに於いて、監視制御パッケージは、被監視制御パッケージの種類対応の処理を実行できるファームウェアを組み込んであり、このファームウェアによる処理によって、監視制御端末からの設定データや監視コマンド等に従った各種の被監視制御パッケージに対するデータ設定や監視処理を実行することができる。従って、被監視制御パッケージの種類が追加されると、その都度、監視制御パッケージのファームウェアを更新しなければならい問題があった。
【００１６】
又監視制御パッケージに於いては、監視制御端末からの初期設定データや各種の設定データ及びコマンド等について、被監視制御パッケージの種類や試験種別等に応じた分岐処理を必要とし、従って、監視制御パッケージに於ける処理が複雑である問題があり、又被監視制御パッケージの監視処理や伝送装置としての疎通試験等についても、監視制御端末と監視制御パッケージとの間のコマンドとレスポンスとの転送処理が繰り返し実行され、それらの処理が煩雑となる問題があった。
【００１７】
本発明は、前述の従来例の問題点を解決することを目的とし、監視制御パッケージのファームウェアの更新を不要とし、且つ監視制御パッケージに於ける分岐処理等を不要とするものである。
【課題を解決するための手段】
【００１８】
本発明の伝送制御システムは、監視制御パッケージと複数の被監視制御パッケージとを実装して構成した伝送装置と、監視制御端末とを含む構成の伝送制御システムであって、前記監視制御端末は、先頭に識別子を付加し、且つ前記被監視制御パッケージ種別情報と位置情報とチャネル情報とを基に一意に定めたアドレスを付加した設定データ又はコマンドを前記監視制御パッケージに送出する機能及び該監視制御パッケージからのレスポンスを受信する機能を備え、前記監視制御パッケージは、前記監視制御端末からの前記設定データ又はコマンドに付加されているアドレスに従って内部テーブルへデータを書き込む機能及び前記コマンドに従った処理結果のレスポンスを前記監視制御端末へ送出する機能を備えている。
【００１９】
又本発明の監視制御方法は、監視制御パッケージと複数の被監視制御パッケージとを実装して構成した伝送装置に対して監視制御端末からデータ設定及び監視を行う監視制御方法であって、前記監視制御端末に於いて、先頭に識別子を付加し、前記被監視制御パッケージ種別情報と位置情報とチャネル情報とを基に一意に定めたアドレスを付加した設定データ又はコマンドを前記監視制御パッケージに送出し、該監視制御パッケージに於いて、前記アドレスに従って内部テーブルにデータを書き込む過程を含むものである。
【００２０】
又前記監視制御端末から前記監視制御パッケージに、識別子を先頭に付加し、データ数と、該データ数に対応した数のレコードとを含み、該レコードに、前記被監視制御パッケージ種別情報と位置情報とチャネル情報とを基に一意に定めたアドレスとデータとを設定したフォーマットの設定データを作成して送出する過程を含むものである。
【００２１】
又前記監視制御端末は、前記識別子と、前記データ数と、該データ数に対応した数の前記レコードとを含み、該レコードに、前記アドレスを監視対象の監視アドレスとし、且つ監視対象ビット付加情報マスク値とを設定して前記監視制御パッケージに送出し、該監視制御パッケージの監視付加情報テーブルを作成して、被監視制御パッケージの状態監視を行う過程を含むことができ、又前記監視制御端末は、前記識別子と、前記データ数と、該データ数に対応した数の前記レコードとを含み、該レコードは、前記アドレスを運用制御アドレスとし、且つ前記被監視制御パッケージに対する運用制御内容を示す設定データを付加した運用制御コマンドを作成して前記監視制御パッケージに送出する過程を含むことができる。
【００２２】
又前記監視制御端末は、前記識別子と、前記データ数と、該データ数に対応した数の前記レコードとを含み、該レコードは、前記アドレスをモニタ制御アドレスとして付加したモニタ制御コマンドを作成して前記監視制御パッケージに送出する過程を含むことができ、又前記監視制御端末は、前記識別子と、前記データ数と、該データ数に対応した数の前記レコードとを含み、該レコードは、制御パラメータと、制御アドレスと、設定値と、繰り返し回数と、ウェイトとを含むモニタ制御コマンドを作成して、前記監視制御パッケージに送出する過程を含むことができる。又前記監視制御パッケージは、前記監視制御端末からの前記モニタ制御コマンドを受信して、前記レコード内容に従った処理を順次実行し、該処理の終了により、レスポンスを作成して、前記監視制御端末へ送出する過程を含むことができる。
【発明の効果】
【００２３】
監視制御端末に於いて作成する設定データ及びコマンドは、被監視制御パッケージ種別情報と位置情報とチャネル情報とを基に一意に定めたアドレスを付加することにより、監視制御パッケージは、被監視制御パッケージの種別対応の分岐処理を必要としない利点があり、それに伴って、被監視制御パッケージの種別の追加や変更に従ったファームウェアの更新の必要がなくなる利点がある。
【発明を実施するための最良の形態】
【００２４】
本発明の伝送制御システムは、図１を参照して説明すると、監視制御パッケージ３と複数の被監視制御パッケージ４とを実装して構成した伝送装置１と、監視制御端末２とを含む構成の伝送制御システムであって、監視制御端末２は、先頭に識別子を付加し、且つ被監視制御パッケージ４の種別情報と位置情報とチャネル情報とを基に一意に定めたアドレスを付加した設定データ又はコマンドを、前記監視制御パッケージ３に送出する機能及び監視制御パッケージ３からのレスポンスを受信する機能を備え、監視制御パッケージ３は、監視制御端末２からの設定データ又はコマンドに付加されているアドレスに従って内部テーブルへデータを書き込む機能及びコマンドに従った処理結果のレスポンスを前記監視制御端末３へ送出する機能を備えている。
【００２５】
又本発明の監視制御方法は、監視制御パッケージ３と複数の被監視制御パッケージ４とを実装して構成した伝送装置１に対して監視制御端末２からデータ設定及び監視を行う監視制御方法であって、監視制御端末２に於いて、先頭に識別子を付加し、被監視制御パッケージ４の種別情報と位置情報とチャネル情報とを基に一意に定めたアドレスを付加した設定データ又はコマンドを作成して、監視制御パッケージ３に送出し、この監視制御パッケージ３に於いて、前記アドレスに従って内部テーブルにデータを書き込む過程を含むものである。
【実施例１】
【００２６】
図１は、本発明の実施例１の説明図であり、１は伝送装置、２は監視制御端末、３は監視制御パッケージ、４−１，４−２，４−３，・・・は被監視制御パッケージ、５は共有バスを示し、伝送制御システムの要部を示すものである。伝送装置１は、監視制御パッケージ３と複数の被監視制御パッケージ４−１，４−２，４−３，・・・（以下被監視制御パッケージ４として説明する）とを実装して、共有バス５によりパッケージ相互間を接続した構成を有し、図示を省略した伝送路を接続するインタフェース部は、被監視制御パッケージの一つにより構成することができる。このように、異なる機能に対応して、異なる構成等の異なる種別の被監視制御パッケージを実装する場合が多いものである。又監視制御端末２と伝送装置１の監視制御パッケージ３とは、ＬＡＮ（ローカルエリアネットワーク）等により接続し、データやコマンド等を転送することができる。データ等の送受信を行うインタフェース部等は、既に知られている各種の構成を適用することができる。
【００２７】
監視制御端末２は、伝送装置１に対する各種の設定データ及びコマンドを作成して、伝送装置１の監視制御パッケージ３に転送するものであり、例えば、初期設定処理の場合、図２に示すシーケンスに従って実行する。即ち、監視制御端末２に於いて設定データを作成し、その設定データを監視制御パッケージ３に送信し、監視制御パッケージ３は、その設定データを受信し、受信した設定データの組に応じて繰り返し設定アドレスに設定データを書き込む処理を行う。この場合の初期設定データのフォーマットを図３の（Ａ）に示し、その初期設定データの一例をその内容と共に図３の（Ｂ）に示す。即ち、初期設定データは、図３の（Ａ）に示すように、初期設定データを示す識別子と、データ数と、このデータ数に対応した数のレコード１，２，・・・ｎとを含み、各レコードは、設定アドレスと設定データとからなる組によって構成されており、設定対象の被監視制御パッケージ数に対応した組数とする。又レコード１〜１０と、それぞれの設定アドレス及び設定データとの一例を、図３の（Ｂ）に示している。
【００２８】
各レコードの設定アドレスは、被監視制御パッケージの種別情報、実装位置情報、チャネル情報（ＣＨ情報）、設定データ識別子から得られる一意のものであり、従って、監視制御パッケージ３は、監視制御端末２からの初期設定データを受信すると、受信した設定アドレスに従って、受信した設定データを内部テーブルに順次書き込み、全レコード対応の設定データの書き込みにより、複数の被監視制御パッケージ４に対する初期設定が終了する。従って、伝送装置１を構成する被監視制御パッケージの種類の変更や、追加、削除による内部構成が変更されている場合、監視制御端末２側の修正処理で対処して、監視制御パッケージ３のファームウェア変更を不要とすることが可能となる。又監視制御パッケージ３に於いて、設定データと設定アドレスとの組み合わせを含む設定データを監視制御端末２から受信して内部テーブルに設定することにより、従来例のような被監視制御パッケージの種類等に対応した分岐処理を不要とすることができる。
【実施例２】
【００２９】
図４は、本発明の実施例２の監視情報テーブル作成のシーケンス説明図であり、監視制御端末２（図１参照）に於いて監視情報設定データを作成し、伝送装置１の監視制御パッケージ３（図１参照）に送信する。監視制御パッケージ３は、その設定データを受信し、設定データ内を展開して監視情報テーブルを生成する。その場合の監視情報設定データのフォーマットを図５の（Ａ）に示し、監視情報設定データは、監視情報設定データを示す識別子と、データ数と、そのデータ数に対応した数のレコード１，２，・・・ｎとからなり、各レコード１〜ｎは、監視アドレスと監視対象ビットマスク値とを含む構成とする。又レコード１〜１５と、監視アドレスと、監視対象ビットマスク値と、その内容との一例を、図５の（Ｂ）に示す。この場合の監視アドレスは、前述の設定アドレスと同様に、被監視制御パッケージの種別に関係なく、一意に設定したものであり、従って、監視制御パッケージ３は、監視情報設定データの監視アドレスに従って監視情報テーブルを作成することができる。
【実施例３】
【００３０】
図６は、本発明の実施例３の監視付加情報テーブル作成のシーケンス説明図であり、監視制御端末２に於いて監視付加情報テーブル作成の設定データを作成して、伝送装置１の監視制御パッケージ３に送信し、監視制御パッケージ３は、受信した設定データにより、監視付加情報テーブルを作成する。その場合の監視付加情報テーブルを作成する為の設定データを、図７の（Ａ）に示す。即ち、識別子と、データ数と、データ数に対応した数のレコード１〜ｎとからなり、レコード１〜ｎは、それぞれ監視アドレスと監視対象ビット付加情報マスク値とを含み、その場合のレコード１〜１５の監視アドレスと監視対象ビット付加情報マスク値とその内容との一例を、図７の（Ｂ）に示す。この場合の監視アドレスも前述の各実施例に於ける監視アドレスと同様に、被監視制御パッケージを一意に示すように設定する。従って、被監視制御パッケージ４の種別対応の従来例に於ける分岐処理は不要となる。
【実施例４】
【００３１】
図８は、本発明の実施例４の運用制御コマンド受信時のシーケンス説明図であり、監視制御端末２に於いて運用制御コマンドを作成して、伝送装置１の監視制御パッケージ３に送信する。図９の（Ａ）は、運用制御コマンドのフォーマットを示し、運用制御コマンドを示す識別子と、データ数と、そのデータ数に対応した数のレコード１，２，・・・からなり、各レコードは、運用制御アドレスと設定データを含むものである。この場合のレコードと、設定アドレスと、設定データと、その内容との一例を、図９の（Ｂ）に示す。なお、運用制御アドレスも、前述の設定アドレスと同様に被監視制御パッケージを一意に示すものである。
【００３２】
監視制御パッケージ３は、監視制御端末２からの運用制御コマンドを受信し、受信した設定アドレスに従った内部テーブルに、受信した設定データを書込み、各レコード対応の設定データの書込みを終了すると、正常終了か異常終了かを示すレスポンスを作成し、このレスポンスを監視制御端末２へ送信する。監視制御端末２は、レスポンス受信により、監視制御パッケージ３に於ける設定データの書込み終了を判定して処理を終了する。従って、従来例のような被監視制御パッケージ４の種別対応の分岐処理は不要となる。
【実施例５】
【００３３】
図１０は、本発明の実施例５のモニタ制御コマンド受信時のシーケンス説明図であり、監視制御端末２に於いてモニタ制御コマンドを作成して、伝送装置１の監視制御パッケージに送信する。その場合のモニタ制御コマンドのフォーマットを、図１１の（Ａ）に示す。即ち、識別子と、データ数と、そのデータ数に対応した数のレコード１，２，・・・とを含み、各レコードは、モニタ制御アドレスを含むものである。これらのレコード１，２，３のモニタ制御アドレスとその内容との一例を、図１１の（Ｂ）に示す。この場合のモニタ制御アドレスも前述の設定アドレスと同様に、被監視制御パッケージを一意に示すものである。従って、監視制御パッケージ３は、受信したモニタ制御アドレスの設定データをそれぞれ読出し、レスポンスを作成して、監視制御端末２へ送信する。この場合、従来例のように、被監視制御パッケージの種類対応の分岐処理やコマンド識別子対応の分岐処理を行う必要がないので、監視制御パッケージ３の処理が容易となる。
【実施例６】
【００３４】
図１２は、本発明の実施例６の制御コマンド及びレスポンスのフォーマット説明図であり、同図の（Ａ）は、制御コマンドのフォーマットを示し、制御コマンドを示す識別子と、データ数と、そのデータ数に対応した数のレコード１，２，・・・とを含み、各レコードは、制御パラメータと、制御アドレスと、設定値と、繰り返しの回数と、ウェイトとを含むもので、同図の（Ｂ）は、疎通試験時の制御コマンドの場合のレコード１〜９について、制御パラメータと制御アドレスと設定値と繰り返し回数とウェイトとその内容との一例を示し、例えば、レコード７の設定値の“−”は参照しないパラメータであることを示し、又制御アドレスは、前述の設定アドレスと同様に、被監視制御パッケージ４を一意に示すものである。
【００３５】
又図１２の（Ｃ）は、モニタ制御レスポンスのフォーマットを示し、モニタ制御レスポンスを示す識別子と、データ数と、そのデータ数に対応した数のレコード１，２，・・・とを含み、各レコードは、制御パラメータと制御結果とモニタ値とを含むものである。又同図の（Ｄ）は、疎通試験時のレコード１〜９について、制御結果とモニタ値とそのレスポンス内容との一例を示すものである。なお、モニタ値としての“０３”以外は参照しない場合を示す。
【００３６】
図１３は、疎通試験のシーケンス説明図であり、監視制御端末２に於いて前述の制御コマンドとして、疎通試験制御コマンドを作成し、伝送装置１の監視制御パッケージ３に送信する。この疎通試験制御コマンドは、図１２の（Ａ）に示すフォーマットに従った複数のレコードを含むものであり、監視制御パッケージ３は、受信した疎通試験制御コマンドのレコード１〜９に従って順次処理を実行する。例えば、レコード１は、ウェイト１とし、レコード６は、ウェイト１、繰り返し回数３とした場合を示す。この疎通試験の処理終了により疎通試験制御レスポンスを作成し、監視制御端末２へ送信する。この場合のレスポンスは、例えば、図１２の（Ｃ）に示すフォーマットにより、例えば、疎通試験制御コマンドのレコード１〜９に従って、同図の（Ｄ）に示す内容のレコード１〜９を含むものである。なお、前述の疎通試験制御のステップの追加、削除により、レコード数を増減することは可能であり、又試験種別に対応して、ウェイト状態を含む順次実行する試験過程に対応したレコード数とすることが可能である。
【００３７】
このような試験制御を実施する場合、前述の従来例に於いては、監視制御端末と監視制御パッケージとの間で、各ステップ毎にコマンド送受信とレスポンス送受信とを繰り返す必要があったが、本発明によれば、監視制御端末２から制御コマンドを作成して監視制御パッケージ３に制御コマンドを送信し、監視制御パッケージ３は、制御コマンドのレコード数に従って一連の処理を順次実行し、全部の処理終了により、その処理結果をレスポンスとして監視制御端末２へ送出するから、相互間の送受信処理が簡単となる。
【００３８】
又前述の実施例以外の各種の設定や監視制御を行う場合も、監視制御端末２に於いて、被監視制御パッケージ４の種別にかかわらず一意に被監視制御パッケージ４を示すアドレスを定めることにより、このアドレスを付加して、各種データの設定や、各種の監視制御を実行することができる。又被監視制御パッケージ４の種別の変更、追加に対応して、前述の設定アドレスや制御アドレスを変更、追加することができる。
【図面の簡単な説明】
【００３９】
【図１】本発明の実施例１の説明図である。
【図２】本発明の実施例１の初期設定動作のシーケンス説明図である。
【図３】本発明の実施例１の初期設定データの説明図である。
【図４】本発明の実施例２の監視情報テーブル作成のシーケンス説明図である。
【図５】本発明の実施例２の監視情報設定データの説明図である。
【図６】本発明の実施例３の監視付加情報テーブル作成のシーケンス説明図である。
【図７】本発明の実施例３の内部テーブルの説明図である。
【図８】本発明の実施例４の運用制御コマンド受信時のシーケンス説明図である。
【図９】本発明の実施例４の運用制御コマンドの説明図である。
【図１０】本発明の実施例５のモニタ制御コマンド受信時のシーケンス説明図である。
【図１１】本発明の実施例５のモニタ制御コマンドの説明図である。
【図１２】本発明の実施例６の制御コマンド及びレスポンスのフォーマットの説明図である。
【図１３】本発明の実施例６のシーケンス説明図である。
【図１４】従来例の初期設定動作のシーケンス説明図である。
【図１５】従来例の初期設定データと参照テーブルとの説明図である。
【図１６】従来例の監視情報テーブル作成のシーケンス説明図である。
【図１７】従来例の監視情報テーブル作成時の参照テーブルの説明図である。
【図１８】従来例の監視付加情報テーブル作成時のシーケンス説明図である。
【図１９】従来例の監視付加情報テーブル作成時の参照テーブルの説明図である。
【図２０】従来例の運用制御コマンド受信時のシーケンス説明図である。
【図２１】従来例の運用制御コマンドフォーマットと参照テーブルとの説明図である。
【図２２】従来例のモニタ制御コマンド受信時のシーケンス説明図である。
【図２３】従来例のモニタ制御コマンドフォーマットと参照テーブルとの説明図である。
【図２４】従来例の疎通試験時のシーケンス説明図である。
【図２５】従来例の疎通試験時のシーケンス説明図である。
【図２６】従来例の疎通試験時のシーケンス説明図である。
【符号の説明】
【００４０】
１  伝送装置
２  監視制御端末
３  監視制御パッケージ
４−１，４−２，４−３，・・・  被監視制御パッケージ
５  共有バス
【図１】
2008289025.tif 000003
【図２】
2008289025.tif 000004
【図３】
2008289025.tif 000005
【図４】
2008289025.tif 000006
【図５】
2008289025.tif 000007
【図６】
2008289025.tif 000008
【図７】
2008289025.tif 000009
【図８】
2008289025.tif 000010
【図９】
2008289025.tif 000011
【図１０】
2008289025.tif 000012
【図１１】
2008289025.tif 000013
【図１２】
2008289025.tif 000014
【図１３】
2008289025.tif 000015
【図１４】
2008289025.tif 000016
【図１５】
2008289025.tif 000017
【図１６】
2008289025.tif 000018
【図１７】
2008289025.tif 000019
【図１８】
2008289025.tif 000020
【図１９】
2008289025.tif 000021
【図２０】
2008289025.tif 000022
【図２１】
2008289025.tif 000023
【図２２】
2008289025.tif 000024
【図２３】
2008289025.tif 000025
【図２４】
2008289025.tif 000026
【図２５】
2008289025.tif 000027
【図２６】
2008289025.tif 000028